(57)【要約】【課題】雑音防止コンデンサなどの外部導電部材の不完全な接続を防止することができる接続装置、スタータ用ソケットおよび照明器具を提供する。【解決手段】スタータ用ソケットは、端子部３を露出したボディ１と、端子部３を覆うようにボディ１に取付けられたカバー２とを備え、カバー２に、端子部３に雑音防止コンデンサ７のリード８を接続するための挿入穴１６を形成するとともに、ボディ１とカバー２の合わせ面の隙間２３にリード８が進入するのを防止する突起２２を設けている。このスタータ用ソケットは照明器具に備えられる。【選択図】  図１
2004227841.tif 000002
【特許請求の範囲】
【請求項１】
端子部を露出したボディと、前記端子部を覆うように前記ボディに取付けられたカバーとを備え、前記ボディおよび前記カバーの一方に、前記端子部に外部導電部材を接続するための挿入穴を形成するとともに、前記ボディと前記カバーの合わせ面の隙間に前記外部導電部材が進入するのを防止する進入防止手段を設けたことを特徴とする接続装置。
【請求項２】
前記進入防止手段はボディおよびカバーの一方に形成され外部導電部材挿入方向に対向する側に突出した突起である請求項１記載の接続装置。
【請求項３】
前記進入防止手段は隙間の近傍に形成されている請求項２記載の接続装置。
【請求項４】
前記突起は先端に向かって薄肉に形成されている請求項３記載の接続装置。
【請求項５】
前記突起の先端は前記ボディまたは前記カバーに干渉する長さに延長しかつ傾斜している請求項４記載の接続装置。
【請求項６】
前記進入防止手段は前記隙間を覆うように前記挿入穴のない前記ボディまたは前記カバーから前記挿入穴に向けて前記外部導電部材の挿入方向と直交する向きに突出している請求項１記載の接続装置。
【請求項７】
前記突起は前記挿入穴に連なる面に対して前記外部導電部材の挿入側に設けられている請求項６記載の接続装置。
【請求項８】
前記突起は前記挿入穴に連なる面に対して前記外部導電部材の挿入側と反対側に設けられている請求項６記載の接続装置。
【請求項９】
請求項１、請求項２、請求項３、請求項４、請求項５、請求項６、請求項７または請求項８記載の接続装置を用いた雑音防止コンデンサ付きスタータ用ソケットであって、前記外部導電部材は前記雑音防止コンデンサのリードであるスタータ用ソケット。
【請求項１０】
請求項９記載のスタータ用ソケットを備えた照明器具。
【発明の詳細な説明】
【０００１】
【発明の属する技術分野】
本発明は、主に照明器具に用いられる接続装置、スタータ用ソケットおよび照明器具に関するものである
【０００２】
【従来の技術】
銅鉄タイブの安定器を用いる照明器具では、グローランプに並列に雑音防止コンデンサを装着している。従来から、この雑音防止コンデンサはグローソケットにグローランプと一緒に装着されている。
【０００３】
従来例は、図８に示すように、グローソケットのボディ１００の後端部より外部に導電板１０１の端部を突出し、その導電板１０１の突出部に電線接続用端子１０２および雑音防止コンデンサ用の端子１０３を設けている。この外部に露出した導電板１０１の突出部を覆うとともに端子１０３に接続する雑音防止コンデンサ１０４を収納するため、ボディ１００にカバー１０５が取付けられる。このカバー１０５は雑音防止コンデンサ１０４の収納部１０６と導電板１０１の端子１０２、１０３とを仕切る仕切り板１０７を設け、仕切り板１０７の先端をボディ１００に対向するつきあわせ面とし、また仕切り板１０７にリードの挿入穴１０９を形成している（特許文献参照）。
【０００４】
【特許文献】
実用新案登録第２５７５５２３号
【０００５】
【発明が解決しようとする課題】
一般に雑音防止コンデンサ１０４は、プリント基板に半田によって接続されるように製造されており、そのリード１１０は細く、端子１０３に差しこんで接続することができるが、それ以上に十分な強度は持っていない。
【０００６】
また、雑音防止コンデンサ１０４が露出すると、外力が加わった場合コンデンサ１０４自身の破損、または接続部の破損の可能性があるため、雑音防止コンデンサ１０４が大きく露出しないように、グローソケットの外郭に覆われるように配置される収納部１０６が形成されている。
【０００７】
そのため、雑音防止コンデンサ１０４の接続作業性は悪く、速結端子１０３に接続するための挿入穴１０９に正しく差し込まれないという問題がある。更に、無理に押し込んだりすると、本来の速結端子の挿入穴１０９ではないボディ１００とカバー１０５の合せ面との隙間１１１などヘリード１１０′が入りこみ、充電部へ不完全な状態で接続され、雑音防止コンデンサ１０４の導通検査にパスしてしまう可能性が考えられ、また異極に接触し短絡による不点などの不良発生の可能性がある。
【０００８】
上記はスタータ用ソケットの雑音防止コンデンサの接続に関したが、それに限らず他の接続装置の場合でも同様な問題がある。
【０００９】
したがって、この発明の目的は、雑音防止コンデンサなどの外部導電部材の不完全な接続を防止することができる接続装置、スタータ用ソケットおよび照明器具を提供することである。
【００１０】
【課題を解決するための手段】
請求項１記載の接続装置は、端子部を露出したボディと、前記端子部を覆うように前記ボディに取付けられたカバーとを備え、前記ボディおよび前記カバーの一方に、前記端子部に外部導電部材を接続するための挿入穴を形成するとともに、前記ボディと前記カバーの合わせ面の隙間に前記外部導電部材が進入するのを防止する進入防止手段を設けたことを特徴とするものである。
【００１１】
請求項１記載の接続装置によれば、進入防止手段により、ボディおよびカバーの隙間から、外部導電部材が入りこむのを防止することができるので不完全な接続を防止することができる。そのため、外部導電部材が正規の端子に接続されない場合は、必ず不点になるので、不完全な接続状態で、使用されることがなくなり、誤組立防止となる。また進入防止手段によりボディとカバーの合わせ面の隙間を小さくできると、水も入りにくくなり安全になる。また進入防止手段として突起を用いるとカバーの押し込みに対する強度の向上になる。
【００１２】
請求項２記載の接続装置は、請求項１において、前記進入防止手段がボディおよびカバーの一方に形成され外部導電部材挿入方向に対向する側に突出した突起である。
【００１３】
請求項２記載の接続装置によれば、請求項１と同様な効果がある。
【００１４】
請求項３記載の接続装置は、請求項２において、前記進入防止手段が隙間の近傍に形成されているものである。
【００１５】
請求項３記載の接続装置によれば、請求項２と同様な効果がある。
【００１６】
請求項４記載の接続装置は、請求項３において、前記突起が先端に向かって薄肉に形成されているものである。
【００１７】
請求項４記載の接続装置によれば、請求項３と同様な効果がある。
【００１８】
請求項５記載の接続装置は、請求項４において、前記突起の先端が前記ボディまたは前記カバーに干渉する長さに延長しかつ傾斜しているものである。
【００１９】
請求項５記載の接続装置によれば、請求項４と同様な効果がある。
【００２０】
請求項６記載の接続装置は、請求項１において、前記進入防止手段が前記隙間を覆うように前記挿入穴のない前記ボディまたは前記カバーから前記挿入穴に向けて前記外部導電部材の挿入方向と直交する向きに突出しているものである。
【００２１】
請求項６記載の接続装置によれば、請求項１と同様な効果がある。
【００２２】
請求項７記載の接続装置は、請求項６において、前記突起が前記挿入穴に連なる面に対して前記外部導電部材の挿入側に設けられているものである。
【００２３】
請求項７記載の接続装置によれば、請求項６と同様な効果がある。
【００２４】
請求項８記載の接続装置は、請求項６において、前記突起が前記挿入穴に連なる面に対して前記外部導電部材の挿入側と反対側に設けられているものである。
【００２５】
請求項８記載の接続装置によれば、請求項６と同様な効果がある。
【００２６】
請求項９記載のグロースタータ用ソケットは、請求項１、請求項２、請求項３、請求項４、請求項５、請求項６、請求項７または請求項８記載の接続装置を用いた昌音防止コンデンサ付きのスタータ用ソケットであって、前記外部導電部材は前記雑音防止コンデンサのリードである。
【００２７】
請求項９記載のグロースタータ用ソケットによれば、請求項１、請求項２、請求項３、請求項４、請求項５、請求項６、請求項７または請求項８と同様な効果がある。
【００２８】
請求項１０記載の照明器具は、請求項９記載のスタータ用ソケットを備えたものである。
【００２９】
請求項１０記載の照明器具によれば、請求項９と同様な効果がある。
【００３０】
【発明の実施の形態】
この発明の第１の実施の形態の図１から図４に基づいて説明する。すなわちこの接続装置は、照明器具に適用したグロースタータ用ソケットであり、ボディ１と、カバー２を有する。
【００３１】
ボディ１は端子部３を設けている。ボディ１はグローランプを装着する筒部４と、筒部４の後端部より後方に突出した一対の側壁１２と、側壁１２間の下端に設けた底壁１３と、側壁１２および底壁１３で囲まれた内側に設けられた端子位置決め部１４で構成されている。筒部４の底部にランプに接触する一対の極性の異なる導電板５ａ、５ｂを設け、導電板５ａ、５ｂより筒部４の後端部を貫通して端子部３を延出している。導電板５ａは筒部４内の底面にはうように折曲され、導電板５ｂは筒部４の内周面の軸方向に沿うように配置されている。端子部３は電線結線用速結端子６と外部導電部材である雑音防止コンデンサ７のリード８の速結端子９を有し、両者の向きは互いに直角になっている。速結端子６に対応してボディ１の後端部より外方に突出した両側壁１２に電線挿入穴１０を形成するとともにカバー取付用係止孔１１を形成している。１５はカバー取付用ねじ孔部である。
【００３２】
カバー２は端子部３を覆うようにボディ１に取付けられている。実施の形態ではボディ１の後端面１ａに平行なカバー部１７とカバー部１７の中間部より後端面１ａに向けて突出しその先端とボディ１の後端面１ａとがつき合わせ面となる仕切り板１８を設けている。そしてカバー部１７に取り付け用ねじ孔部１５に取付ねじ（図示せず）を螺合するための取付孔２１を形成し、係止孔１１に係止する爪２７を設けている。またカバー２の仕切り板１８に端子部３に外部導電部材であるリード８を接続するための挿入穴１６を形成している。これにより、ボディ１の後端面１ａと側壁１２とカバー部１７と仕切り板１８で囲まれた雑音防止コンデンサ収納部１９が形成され、仕切り板１８により端子部３と仕切られる。２０はカバー部１７に設けた手の指が通る切欠きであり、雑音防止コンデンサ２１を挿入しやすくするためのものである。
【００３３】
進入防止手段２２はボディ１とカバー２の合わせ面の隙間２３にリード８が進入するのを防止するものである。実施の形態では、進入防止手段２２が仕切り板１８に形成され外部導電部材挿入方向に対向する側に突出した突起であり、熱可塑性樹脂材料によりカバーに一体に形成されている。この突起は隙間２３の近傍に形成されている。
【００３４】
図３および図４はグローランプ２５をボディ１に装着した状態であり、電線挿入穴１０より電線２６を挿入し速結端子６に接続すると導電板５ａ、５ｂを通してグローランプ２５に給電される。また雑音防止コンデンサ７のリード８を収納室１９内に入れ、挿入穴１６より速結端子９に接続すると雑音防止コンデンサ７がグローランプ２５に並列に接続される。雑音防止コンデンサ７のリード８が挿入穴１６に入いらず図１のようにリード８が曲がってもリード８が回り込まないように進入防止手段２２の突起がストッパとなっているのでリード８が隙間２３に進入することが防止される。この結果、リード８が正規の端子９に接続されない場合は、必ず不点になるので、不完全な接続状態で、使用されることがなくなり、誤組立防止となる。進入防止手段２２によりボディ１とカバー２の合わせ面の隙間を小さくできると、水も入りにくくなり安全である。また進入防止手段２２として突起を用いるとカバー２の補強となるのでカバー２の押し込みに対する強度が向上する。
【００３５】
この発明の第２の実施の形態を図５に示す。すなわち、第１の実施の形態において、突起２２ａは先端に向かって薄肉に形成されている。また突起２２ａの先端はボディ１の後端面１ａに干渉する長さ傾斜して延長している。これにより、隙間２３が塞がれるので、リード８の進入を防止することができる。
【００３６】
この発明の第３の実施の形態を図６に示す。すなわち、第１の実施の形態において、進入防止手段２２は隙間２３を覆うようにボディ１の後端面１ａから挿入穴１６に向けてリード８の挿入方向と直交する向きに突出した突起である。また突起２２は挿入穴１６に連なる面に対してリード８の挿入側に設けられている。この場合、リード８が隙間２３を通して導電板５ａ、５ｂに接触するためには、雑音防止コンデンサ７を押し込む操作でリード８が仕切り板１８に平行になるための曲がりとその先端がさらに隙間２３に入り込むための曲がりの２箇所以上の曲がり、すなわちＺ字形に折曲される必要があるが、２箇所曲げは容易にはできないので導電板５ａ、５ｂまで到達得ない。なお突起２２のコーナ部３０の角は曲面にしてカバー２の仕切り板１８の当たりを逃げやすくし、カバー２の取付け性を向上している。ただし、カバー２の仕切り板１８の端部のコーナ部３１の角は曲面にするとリード８をさそい込むので曲面にしないのが望ましい。
【００３７】
この発明の第４の実施の形態を図７に示す。すなわち、第３の実施の形態において、突起は挿入穴１６に連なる面に対してリード８の挿入側と反対側に設けられている。この場合、突起２２のコーナ部３２の角は組み立て性向上のため曲面に形成し、仕切り板１８の先端のコーナ部３３の角はリード８の進入をしにくくするため曲面としていない。
【００３８】
なお、この発明の第１および第２の実施の形態において、例えば仕切り板１８をボディ１側に設けるなどにより、突起（２２）および挿入穴１６をボディ１側に設ける構成でもよい。また第３および第４の実施の形態において、挿入穴１６をボディ１側に設け、突起をカバー２側からボディ１の挿入穴１６に向けて突出する構成でもよい。
【００３９】
【発明の効果】
請求項１記載の接続装置によれば、進入防止手段により、ボディおよびカバーの隙間から、外部導電部材が入りこむのを防止することができるので不完全な接続を防止することができる。そのため、外部導電部材が正規の端子に接続されない場合は、必ず不点になるので、不完全な接続状態で、使用されることがなくなり、誤組立防止となる。また進入防止手段によりボディとカバーの合わせ面の隙間を小さくできると、水も入りにくくなり安全になる。また進入防止手段として突起を用いるとカバーの押し込みに対する強度の向上になる。
【００４０】
請求項２記載の接続装置によれば、請求項１と同様な効果がある。
【００４１】
請求項３記載の接続装置によれば、請求項２と同様な効果がある。
【００４２】
請求項４記載の接続装置によれば、請求項３と同様な効果がある。
【００４３】
請求項５記載の接続装置によれば、請求項４と同様な効果がある。
【００４４】
請求項６記載の接続装置によれば、請求項１と同様な効果がある。
【００４５】
請求項７および請求項８記載の接続装置によれば、請求項６と同様な効果がある。
【００４６】
請求項９記載のグロースタータ用ソケットによれば、請求項１、請求項２、請求項３、請求項４、請求項５、請求項６、請求項７または請求項８と同様な効果がある。
【００４７】
請求項１０記載の照明器具によれば、請求項９と同様な効果がある。
【図面の簡単な説明】
【図１】この発明の第１の実施の形態のグロースタータ用ソケットの要部断面図である。
【図２】その分解斜視図である。
【図３】グローランプを装着した状態の平面図である。
【図４】その側面図である。
【図５】第２の実施の形態の要部断面図である。
【図６】第３の実施の形態の要部断面図である。
【図７】第４の実施の形態の要部断面図である。
【図８】従来例の要部断面図である。
【符号の説明】
１    ボディ
２    カバー
３    端子部
４    筒部
５ａ    導電板
５ｂ    導電板
１６    挿入穴
１８    仕切り板
２１    雑音防止コンデンサ
【図１】
2004227841.tif 000003
【図２】
2004227841.tif 000004
【図３】
2004227841.tif 000005
【図４】
2004227841.tif 000006
【図５】
2004227841.tif 000007
【図６】
2004227841.tif 000008
【図７】
2004227841.tif 000009
【図８】
2004227841.tif 000010